(57)【要約】【課題】遊技基盤の裏側に設けられた部品を保護するカバーが振動しても遊技基盤から外れないようにする。【解決手段】部品カバー４８および演出制御装置５１が遊技基盤３２の裏側に取り付けられた場合、部品カバー４８の後壁および演出制御装置５１の前側容器６５との間の隙間Ｈ１が被差込部６２の前後方向の厚さとしての板厚Ｔ１よりも小さい寸法に設定され（Ｈ１＜Ｔ１）、部品カバー４８が前後方向に振動しても、部品カバー４８の後壁が前側容器６５に接触し、差込部５９および被差込部６２による相互の嵌め合いが解除されることはなく、部品カバー４８が遊技基盤３２の裏側に脱落せずに適切に支持される。【選択図】図１
2007267807.tif 000002
【特許請求の範囲】
【請求項１】
遊技基盤と、遊技基盤の前面の遊技領域から遊技基盤の裏側に排出された球を誘導するために遊技基盤の裏面に取り付けられた球導出部品と、遊技盤の裏側に設けられた部品を保護するために覆うカバーと、遊技基盤の裏側に配置される制御装置とを備えたパチンコ遊技機の遊技盤において、カバーが球導出部品の裏側で球導出部品に嵌め込まれ、制御装置がカバーを裏側から覆うようにカバーの裏側に配置されて遊技基盤または球導出部品に取り付けられ、カバーが振動した場合に、制御装置がカバーを受け止めることを特徴とするパチンコ遊技機の遊技盤。
【請求項２】
請求項１に記載のカバーが球導出部品の裏側で球導出部品に嵌め込まれるようにするために、差込部が球導出部品に設けられ、被差込部がカバーに設けられ、差込部および被差込部が互いに嵌め込まれることによって、カバーが球導出部品に取り付けられたことを特徴とするパチンコ遊技機の遊技盤。
【請求項３】
請求項１に記載のカバーが入賞部品の遊技基盤よりも裏側に突出した裏側部分を覆う部品カバーとして構成されたことを特徴とするパチンコ遊技機の遊技盤。
【請求項４】
請求項１に記載の制御装置が前側容器および後側容器から構成される容器の内部に回路基板を格納した構造であって、前側容器には前側容器から前側に突出する固定用脚部と前側容器から前側に突出する挿入用脚部と固定用脚部に取り付けられた固定具が設けられ、球導出部品には制御固定部および制御嵌合部が設けられ、挿入用脚部が制御嵌合部に挿入され、固定用脚部が制御固定部の裏面に接触させられ、固定具が制御固定部に固定されたことによって、制御装置が球導出部品の裏面に取り付けられたことを特徴とするパチンコ遊技機の遊技盤。
【発明の詳細な説明】
【技術分野】
【０００１】
本発明は、遊技基盤の裏側に設けられた部品を保護するカバーが遊技基盤に適切に支持されるパチンコ遊技機の遊技盤に関する。
【背景技術】
【０００２】
図８は、公知のパチンコ遊技機を示す。図８において、パチンコ遊技機は、遊技機枠１を取り替えることなく、遊技盤３１だけを新しい機種のものに交換できるように、遊技機枠１と遊技盤３１とが相互に分離可能に構成される。遊技機枠１は、固定枠２の前部に可動枠３を開閉可能に備え、可動枠３の前部に前扉４および皿構造体５を開閉可能に備える。固定枠２は、遊技機設置構造体に固定される外枠とも呼ばれる。遊技機設置構造体は、遊技店のパチンコ遊技機を取り付けるための島とも呼ばれる設備である。可動枠３は、遊技盤３１や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能である。可動枠３の前部には、盤収容部７、中央開口部８、盤後側押出部９、盤前側受止部１０、盤掛止部材１１、盤棚１２、球発射機構１３、球発射レール１４、戻り球取入口１５、前横樋１６、機外排出樋１７、施錠装置１８、掛止機構１９；２０；２１、解除操作体２２が設けられる。可動枠３の裏部には、タンク構造体２３が設けられる。タンク構造体２３は、遊技機設置構造体の補給機構から供給された球を貯蔵する上側に開口した上側から下側に窪む容器であって、貯蔵した球を可動枠３の裏部に設けられた図外の球払出機構に供給する。球払出機構は、タンク構造体２３から供給された球を貸球または賞球として払い出す。球払出機構から払い出された球は、前横樋１６および球取入口２９を経由して球受皿部２７に受け取られる。
【０００３】
前扉４および皿構造体５は、個別に、左側に位置するヒンジ２４を中心とし、可動枠３の前部で前側に開かれかつ後側に閉じられるように、片開き可能である。前扉４は、パネル枠とも呼ばれ、前後方向に貫通する窓２５を備える。窓２５は、前面パネル２６で塞がれる。前面パネル２６は、ガラスまたは合成樹脂からなる光を透過する性質の有る無色な板状であって、前扉４の裏面に設けられる。皿構造体５は、球受皿部２７および球発射操作機構２８を、皿構造体５の前面から前側に突出した形態に備える。皿構造体５の裏部には、球取入口２９および球供給口３０が設けられる。皿構造体５が閉じられた場合、解除操作体２２、球発射機構１３、球発射レール１４、戻り球取入口１５、前横樋１６は、皿構造体５で覆い隠される。
【０００４】
遊技盤３１は、遊技基盤３２に、内ガイドレール３３、外ガイドレール３４、遊技領域３５、球発射通路３６、アウト口３７、球戻り防止弁３８、球反発体３９、遊技釘４０、入賞部品４１、ロック孔４２、証紙台４３などを設けた構造である。内ガイドレール３３、外ガイドレール３４が遊技基盤３２の前面に取り付けられることによって、遊技基盤３２の前面には、遊技領域３５および球発射通路３６が構成される。遊技領域３５は、遊技基盤３２の前面の内ガイドレール３３および外ガイドレール３４で囲まれた内側の部分である。球発射通路３６は、内ガイドレール３３の左側部と外ガイドレール３４の左側部との間の隙間によって形成され、遊技領域３５の左側に接続される。遊技盤３１が遊技機枠１に格納された場合、遊技領域３５は、遊技機枠１の前側から窓２５および前面パネル２６を経由して視認される。アウト口３７、球戻り防止弁３８、球反発体３９、遊技釘４０、入賞部品４１、その他の遊技部品が遊技領域３５に設けられる。その他の遊技部品は、センター飾り、風車、サイドランプなどである。ロック孔４２は、遊技領域３５よりも外側で、遊技基盤の右上隅部および右下隅部に、前後方向への貫通孔として設けられる。
【０００５】
遊技盤３１は、遊技機枠１に次のように取り付けられる。可動枠３が閉じられて固定枠２に掛止機構１９で開閉不能に支持され、少なくとも、前扉４が可動枠３の前側に片開きされた状態において、遊技盤３１の裏面が遊技機枠１の方に向けられ、遊技領域３５が前側に向けられ、遊技盤３１の左側部が遊技機枠１の前側から盤収容部７に挿入され、遊技盤３１の下部が盤棚１２の上に載せられ、遊技盤３１の左側部が盤後側押出部９と盤前側受止部１０との間に挿入されて盤後側押出部９と盤前側受止部１０とで前後方向から挟まれる。その後、遊技盤３１の右側部が作業者によって後側に押され、遊技盤３１の裏側に突出した裏部品が中央開口部８を経由して可動枠３から裏側に突出し、盤掛止部材１１がロック孔４２に後側から挿入されて前側に突出する。その状態において、作業者が盤掛止部材１１を例えば右方向に９０度回転操作すると、盤掛止部材１１がロック孔４２の周りにおける遊技基盤３２の前面に係合し、遊技盤３１が可動枠３に取り付けられる。その後、証紙台４３が、遊技基盤３２の側に閉じられ、下部のロック孔４２を覆い隠す。
【０００６】
遊技の流れについて説明する。遊技盤３１が可動枠３に取り付けられ、前扉４および皿構造体５が閉じられて可動枠３に掛止機構２０；２１で開閉不能に支持され、遊技者が球受皿部２７にパチンコ球と呼ばれる球を入れて球発射操作機構２８を操作すると、球発射機構１３が球発射操作機構２８から出力された操作量に応じた発射力で駆動し、球発射機構１３が球受皿部２７から球供給口３０を経由して球発射レール１４に供給された球を発射球として１個ずつ遊技盤３１の球発射通路３６に向けて発射する。球発射通路３６に発射された球が、球発射通路３６の球出口から球戻り防止弁３８を押し開けて遊技領域３５に到達する。遊技領域３５に到達した球は、遊技部品に衝突して流れる方向を変えながら、遊技領域３５を流下する過程において、入賞部品４１に入賞する。球が入賞部品４１に入賞すると、入賞部品４１の入賞に対する賞球としての球が、図外の球払出機構から球受皿部２７に払い出される。入賞部品４１に入賞した球は、遊技盤３１の裏側に排出される。入賞部品４１に入賞しないで遊技領域３５の最下部に到達した球は、アウト口３７から遊技盤３１の裏側に排出される。
【０００７】
ところで、遊技店において、遊技機枠１が遊技機設置構造体に取り付けられ、可動枠３には遊技盤３１が取り付けられ、遊技が行われている場合、タンク構造体２３から球が落下することがある。この落下球が可動枠３から裏側に突出した遊技盤３１の裏部品に衝突しないように、つまり、落下球の衝突防止のために、遊技盤３１の裏部品を被覆する裏カバーが遊技盤３１に設けられることは周知である。しかしながら、特許文献１に示すように、遊技盤３１の裏側の点検作業を容易にする観点から、裏カバーの後壁には点検窓と凹状の受部とが形成され、点検窓を塞ぐための蓋には凸状の被受部が設けられ、被受部と受部とが互いに嵌め合わされることによって、蓋が点検窓を塞いで裏カバーの後壁に固定されている。このため、例えば、遊技盤３１がパチンコ遊技機を製造会社から遊技店にトラックで運送する場合の衝撃などによって、蓋が振動した場合、被受部と受部とによる相互の嵌め合いが解除され、蓋が外れてしまうことがある。
【特許文献１】特開平８−２９９５６２号公報
【発明の開示】
【発明が解決しようとする課題】
【０００８】
発明が解決しようとする問題点は、遊技基盤の裏側に設けられた部品を保護するカバーが遊技基盤から外れやすいという点である。
【課題を解決するための手段】
【０００９】
本発明に係るパチンコ遊技機の遊技盤は、遊技基盤と、遊技基盤の前面の遊技領域から遊技基盤の裏側に排出された球を誘導するために遊技基盤の裏面に取り付けられた球導出部品と、遊技盤の裏側に設けられた部品を保護するために覆うカバーと、遊技基盤の裏側に配置される制御装置とを備えた遊技盤において、カバーが球導出部品の裏側で球導出部品に嵌め込まれ、制御装置がカバーを裏側から覆うようにカバーの裏側に配置されて遊技基盤または球導出部品に取り付けられ、カバーが振動した場合に、制御装置がカバーを受け止めることを最も主要な特徴とする。カバーが球導出部品の裏側で球導出部品に嵌め込まれるようにするために、差込部が球導出部品に設けられ、被差込部がカバーに設けられ、差込部および被差込部が互いに嵌め込まれることによって、カバーが球導出部品に取り付けられたり、カバーが入賞部品の遊技基盤よりも裏側に突出した裏側部分を覆う部品カバーとして構成されたり、制御装置が前側容器および後側容器から構成される容器の内部に回路基板を格納した構造であって、前側容器には前側容器から前側に突出する固定用脚部と前側容器から前側に突出する挿入用脚部と固定用脚部に取り付けられた固定具が設けられ、球導出部品には制御固定部および制御嵌合部が設けられ、挿入用脚部が制御嵌合部に挿入され、固定用脚部が制御固定部の裏面に接触させられ、固定具が制御固定部に固定されたことによって、制御装置が球導出部品の裏面に取り付けられたりしてもよい。
【発明の効果】
【００１０】
本発明に係るパチンコ遊技機の遊技盤は、カバーが振動した場合に、制御装置がカバーを受け止めることによって、カバーが遊技基盤に適切に支持されるという利点がある。差込部および被差込部が互いに嵌め込まれることによって、カバーが球導出部品に取り付けられれば、カバーの球導出部品への取付が容易であるという利点がある。カバーが入賞部品の遊技基盤よりも裏側に突出した裏側部分を覆う部品カバーであれば、入賞部品を保護することができるという利点がある。制御装置が前側容器および後側容器から構成される容器の内部に回路基板を格納した構造であって、前側容器には前側容器から前側に突出する固定用脚部と前側容器から前側に突出する挿入用脚部と固定用脚部に取り付けられた固定具が設けられ、球導出部品には制御固定部および制御嵌合部が設けられ、挿入用脚部が制御嵌合部に挿入され、固定用脚部が制御固定部の裏面に接触させられ、固定具が制御固定部に固定されたことによって、制御装置が球導出部品の裏面に取り付けられれば、制御装置の球導出部品への取付構造が簡単になるという利点がある。
【発明を実施するための最良の形態】
【００１１】
図１乃至図７は、発明を実施するための最良の形態である。図１は、図５をＢ−Ｂ線に沿って切断した断面を示す。図２は、遊技盤３１を分解して示す。図３は、遊技基盤３２と部品カバー４８および演出制御装置５１を分解して示す。図４は、遊技基盤３２および演出制御装置５１を分解して示す。図５は、部品カバー４８および演出制御装置５１が取り付けられた遊技基盤３２の裏側を示す。図６のａ図は、固定具７１を分解して示す。図６のｂ図は、固定具７１を固定用つま先７０に取り付けた断面を示す。図７のａ図は、固定具７１を制御固定部６０に挿入した断面を示す。図７のｂ図は、固定具７１を制御固定部６０に取り付けた断面を示す。本明細書において、「前」、「表」、「後」、「裏」、「左」、「右」、「上」、「下」の方向は、図８の状態に遊技機枠１および遊技盤３１を置いて矢印Ａで示す前側から見た場合に特定される方向である。「前」および「表」は、同じ方向である。「後」および「裏」は、同じ方向である。
【００１２】
図２を参照し、遊技盤３１の裏側の構造について説明する。遊技盤３１は、遊技基盤３２、入賞部品４５、球導出部品４６、取付台４７、部品カバー４８、通路カバー４９、主制御装置５０、演出制御装置５１を備える。遊技基盤３２には、部品逃避孔５３が前後方向への貫通孔として設けられる。最上部の部品逃避孔５３は、入賞部品４５と対を成す。最上部以外の部品逃避孔５３は、図外の複数の入賞部品と個別に対を成す。入賞部品４５は、図８の入賞部品４１に類似するものであって、部品基盤５４の前部に球を取り込むための入賞口部５５を備え、部品基盤５４の裏部に駆動機構５６や入賞球樋５７を備える。駆動機構５６は、部品基盤５４の前部に設けられた図外の可動部材を駆動源で動かすものである。駆動機構５６の駆動源は、演出制御装置５１によって制御される。駆動機構５６および入賞球樋５７が遊技基盤３２の前側から部品逃避孔５３に挿入され、部品基盤５４の裏面が遊技基盤３２の前面に接触して部品逃避孔５３を塞ぎ、図外のねじ釘が部品基盤５４の設けられた貫通孔を経由して遊技基盤３２に締結される。これによって、入賞部品４５が遊技基盤３２に取り付けられ、駆動機構５６の後部や入賞球樋５７の後部が遊技基盤３２の裏面よりも裏側に突出する。
【００１３】
球導出部品４６は、セット板とも呼ばれ、遊技基盤３２の裏面に釘などの固定具で取り付けられることによって、遊技基盤３２の裏側に排出された球を下方に誘導して排出する機能と、部品カバー４８や通路カバー４９に対する取付台としての機能とを併有する。球導出部品４６には、部品逃避孔５８、差込部５９、制御固定部６０、制御嵌合部６１が設けられる。部品逃避孔５８は、入賞部品４５と対を成すように、前後方向への貫通孔として構成される。球導出部品４６が遊技基盤３２に取り付けられた場合、駆動機構５６の後部が部品逃避孔５８を経由して球導出部品４６よりも裏側に突出する。差込部５９は、部品カバー４８を球導出部品４６に取り付けるためのものであって、部品逃避孔５８の周りの下部左右と上部中央とに分けられて設けられ、球導出部品４６の裏面から裏側に突出する縦壁と、縦壁の後部から球導出部品４６の裏面と平行するように突出した横壁と、球導出部品４６の裏面とによって、取込空間を囲むように形成した構造である。
【００１４】
下部左の差込部５９における取込空間は、右側に開口し、それ以外が塞がれた窪みである。下部右の差込部５９における取込空間は、左側に開口し、それ以外が塞がれた窪みである。上部中央の差込部５９における取込空間は、下側に開口し、それ以外が塞がれた窪みである。制御固定部６０は、演出制御装置５１を球導出部品４６に取り付けるためのものであって、球導出部品４６の左側部で上下に分けられて設けられ、球導出部品４６の裏面から裏側に突出する筒状に構成される。制御嵌合部６１は、演出制御装置５１を球導出部品４６に取り付けるためのものであって、球導出部品４６の右側部で上下に分けられて設けられ、球導出部品４６の裏面から裏側に突出する突起として構成される。制御嵌合部６１の後部には、挿入空間が、左側に開口し、それ以外を塞いだ形状に設けられる。
【００１５】
取付台４７は、主制御装置５０を遊技基盤３２の裏面に取り付けるためのものであって、遊技基盤３２の裏面に釘などの固定具で取り付けられる。部品カバー４８は、遊技基盤３２の裏側に設けられる部品を保護するために被覆するカバーであって、入賞部品４５の駆動機構５６における球導出部品４６よりも裏側に突出した裏側部分を保護するように被覆するように、後壁と左壁と右壁および上壁によって、部品収納室を前側および下側に開口しかつ前側から後側に窪む形状に形成する構造である。部品カバー４８には、被差込部６２、通気孔６３、配線孔６４が設けられる。被差込部６２は、部品カバー４８の左壁と右壁および上壁に設けられる。以下、部品カバー４８の左壁に設けられた被差込部６２を左の被差込部６２と称し、部品カバー４８の右壁に設けられた被差込部６２を右の被差込部６２と称し、部品カバー４８の上壁に設けられた被差込部６２を上の被差込部６２と称する。左の被差込部６２は、部品カバー４８の左壁の下部から右側に突出する。右の被差込部６２は、部品カバー４８の右壁の下部から右側に突出する。上の被差込部６２は、部品カバー４８の上壁の中央から上側に突出する。通気孔６３は、部品カバー４８の後壁および上壁に形成される。配線孔６４は、部品カバー４８の後壁に形成される。
【００１６】
通路カバー４９は、遊技基盤３２の裏側に設けられる部品を保護するために覆うカバーであって、部品逃避孔５８よりも下部に位置し、球導出部品４６の裏面に止ねじで取り付けられる。主制御装置５０は、容器の内部に回路基板を格納した構造であって、取付台４７の裏面に取り付けられる。主制御装置５０の容器は、光を透過する性質の有る無色な合成樹脂から構成される。主制御装置５０の回路基板には、ＣＰＵ、ＲＯＭ、ＲＡＭ、入出力インタフェース、コネクタなどの電気部品が、主制御回路を構成するように実装される。主制御装置５０が取付台４７に取り付けられた場合、主制御装置５０の裏側から回路基板の電気部品が容器を通して視認可能となる。
【００１７】
演出制御装置５１は、前側容器６５および後側容器６６から構成される容器の内部に回路基板６７を格納した構造であって、部品カバー４８を裏側から覆うように、球導出部品４６の裏面に取り付けられる。前側容器６５および後側容器６６は、光を透過する性質の有る無色な合成樹脂から構成される。回路基板６７には、ＣＰＵ、ＲＯＭ、ＲＡＭ、入出力インタフェース、コネクタなどの電気部品６８が、演出制御回路を構成するように実装される。演出制御装置５１が球導出部品４６に取り付けられた場合、演出制御装置５１の裏側から電気部品６８が後側容器６６を通して視認可能となる。前側容器６５は、演出制御装置５１を球導出部品４６の裏面に取り付けるために、前側容器６５から前側に突出する固定用脚部６９、固定用脚部６９から左側に突出する固定用つま先７０、固定用つま先７０に取り付けられた固定具７１、前側容器６５から前側に突出する挿入用脚部７２、挿入用脚部７２から右側に突出する挿入用つま先７３を備える。
【００１８】
図３乃至図５を参照し、部品カバー４８および演出制御装置５１が遊技基盤３２の裏側に取り付けられる場合について説明する。図３では、既に、入賞部品４５、球導出部品４６、取付台４７、通路カバー４９、主制御装置５０が、遊技基盤３２に取り付けられた場合を例示する。先ず、部品カバー４８が、球導出部品４６に次のように取り付けられる。部品カバー４８における前側の開口および被差込部６２が、球導出部品４６の側に向けられる。そして、左の被差込部６２が下部左の差込部５９の取込空間に右側から挿入され、右の被差込部６２が下部右の差込部５９の取込空間に左側から挿入され、上の被差込部６２が上部中央の差込部５９の取込空間に下側から挿入される。これによって、部品カバー４８が、駆動機構５６における球導出部品４６よりも裏側に突出した裏側部分を被覆し、図４に示すように、差込部５９および被差込部６２による相互の嵌め合いによって球導出部品４６に嵌め込まれて取り付けられる。部品カバー４８が球導出部品４６の裏側で球導出部品４６に嵌め込まれるようにするために、差込部５９が球導出部品４６に設けられ、被差込部６２が部品カバー４８に設けられ、差込部５９および被差込部６２が互いに嵌め込まれることによって、部品カバー４８が球導出部品４６に取り付けられたので、部品カバー４８の球導出部品４６への取り付けが容易であるという利点がある。
【００１９】
その後、図４において、演出制御装置５１が球導出部品４６に次のように取り付けられる。固定用つま先７０および挿入用つま先７３が、球導出部品４６の側に向けられる。そして、挿入用つま先７３が、制御嵌合部６１の挿入空間に左側から挿入される。次に、挿入用つま先７３が制御嵌合部６１の挿入空間に挿入されたまま、固定用つま先７０が球導出部品４６の側に近づくように、演出制御装置５１が制御嵌合部６１に挿入された挿入用つま先７３を中心として回転させられ、固定用つま先７０が制御固定部６０の裏面に接触させられる。最後に、固定具７１が球導出部品４６の側に押され、固定具７１における固定用つま先７０よりも前側に突出する前部が制御固定部６０の内部に押し込まれて制御固定部６０に固定される。
【００２０】
つまり、演出制御装置５１が前側容器６５および後側容器６６から構成される容器の内部に回路基板６７を格納した構造であって、前側容器６５には、前側容器６５から前側に突出する固定用脚部６９と、前側容器６５から前側に突出する挿入用脚部７２と、固定用脚部６９に取り付けられた固定具７１が設けられ、球導出部品４６には制御固定部６０および制御嵌合部６１が設けられ、挿入用脚部７２が制御嵌合部６１に挿入され、固定用脚部６９が制御固定部６０の裏面に接触させられ、固定具７１が制御固定部６０に固定されたことによって、演出制御装置５１が球導出部品４６の裏面に取り付けられるので、演出制御装置５１の球導出部品４６への取付構造が簡単になるという利点がある。
【００２１】
これによって、図５に示すように、演出制御装置５１が、部品カバー４８を裏側から被覆し、制御嵌合部６１および挿入用つま先７３による相互の嵌め合いと制御固定部６０および固定具７１による相互の固定とによって球導出部品４６に取り付けられる。演出制御装置５１が球導出部品４６に取り付けられた場合、挿入用つま先７３が制御嵌合部６１の前後および上下に袋小路になった挿入空間に挿入され、固定具７１が制御固定部６０に左右および上下方向への閂として固定されているので、演出制御装置５１が振動しても球導出部品４６に脱落せずに適切に支持される。
【００２２】
図１を参照し、部品カバー４８および演出制御装置５１が遊技基盤３２の裏側に取り付けられた構造について説明する。部品カバー４８が前後方向に振動した場合、球導出部品４６が部品カバー４８に対する前側の壁として働き、演出制御装置５１が部品カバー４８に対する後側の壁として働くので、球導出部品４６が前側に移動する部品カバー４８を受け止め、演出制御装置５１が後側に移動する部品カバー４８を受け止める。つまり、部品カバー４８が球導出部品４６と演出制御装置５１とで前後方向から挟まれるように支持されるので、部品カバー４８が遊技基盤３２の裏側に脱落せずに適切に支持される。また、部品カバー４８の後壁および演出制御装置５１の前側容器６５との間の隙間Ｈ１は、被差込部６２の前後方向の厚さとしての板厚Ｔ１よりも小さい寸法に設定される（Ｈ１＜Ｔ１）。よって、部品カバー４８が前後方向に振動しても、部品カバー４８の後壁が前側容器６５に接触し、差込部５９および被差込部６２による相互の嵌め合いが解除されることはなく、部品カバー４８が遊技基盤３２の裏側に脱落せずに適切に支持される。また、部品カバー４８における左および右の被差込部６２が球導出部品４６における下部左および下部右の差込部５９の前後および上下に袋小路になった取込空間に挿入され、部品カバー４８における上の被差込部６２が球導出部品４６における上部中央の差込部５９の前後および上に袋小路になった取込空間に挿入されているので、部品カバー４８が遊技基盤３２の裏面と平行な方向で上下左右に振動しても、差込部５９および被差込部６２による相互の嵌め合いが解除されることはない。前面パネル２６と遊技基盤３２との間の隙間７４は、遊技領域３５に発射された球Ｐが矢印Ｘ１で示すように流下する空間である。前面パネル２６と入賞部品４５との間の隙間７５は、球Ｐが進入できない空間である。入賞部品４５が遊技基盤３２にねじ釘７６で取り付けられる。
【００２３】
図６のａ図を参照し、図２に示した固定具７１の構造について説明する。固定具７１は、係合具８１と操作具８２とを備える。係合具８１および操作具８２は、互いに別々に形成される。係合具８１は、前後方向に貫通する中心孔８３を有する円筒本体８４の一端部に受部８５を備え、円筒本体８４の他端部に掛止部８６を備える。受部８５は円筒本体８４の一端部より軸心方向の一方の外側に開口する皿状である。受部８５と掛止部８６との間における円筒本体８４の外周面は、受部８５の外径と掛止部８６の外径との双方よりも細い、くびれ部８７として形成される。掛止部８６は、溝８８によって、周方向に独立した複数の片持ち梁のような弾性片として形成される。溝８８は、掛止部８６の他端部とくびれ部８７との間を、軸心方向と直径方向とに切り欠かれる。掛止部８６を構成する各弾性片の中心孔８３を囲む内面には、突起８９が、軸心方向に向けて突出する。
【００２４】
操作具８２は、棒本体９１の一端部に鍔９２とくびれ部９３と摘み９４とを備え、棒本体９１の他端部に係合溝９５を備える。棒本体９１は、受部８５の方向から中心孔８３に挿入されるとともに、中心孔８３に挿入された場合に突起８９を中心孔８３の径方向外側に押して掛止部８６を押し広げる、太さである。鍔９２は、棒本体９１の外径よりも大きな外径であって、受部８５における周壁で囲まれた内部に取り込まれる大きさである。くびれ部９３は、鍔９２から同軸状に突出し、鍔９２と摘み９４との双方よりも細い。摘み９４は、摘み９４から同軸状に突出し、くびれ部９３と鍔９２との双方よりも太い円盤形状である。
【００２５】
図６のｂ図を参照し、固定具７１が演出制御装置５１の固定用つま先７０に取り付けられた構造について説明する。固定用つま先７０には、取付孔９６が形成される。そして、係合具８１のくびれ部８７が固定用つま先７０の取付孔９６に嵌め込まれると、受部８５と掛止部８６とが取付孔９６の周囲における固定用つま先７０を挟み、係合具８１が固定用つま先７０に取り付けられ、掛止部８６が固定用つま先７０の前面９７より突出する。そして、操作具８２の棒本体９１が係合具８１の受部８５の方向から中心孔８３に挿入されると、係合溝９５が突起８９に嵌め込まれ、操作具８２が係合具８１に取り付けられる。これによって、固定具７１が固定用つま先７０に取り付けられる。
【００２６】
図７のａ図を参照し、固定用つま先７０に設けられた固定具７１が球導出部品４６の制御固定部６０に取り付けられる場合について説明する。固定具７１の掛止部８６が、制御固定部６０の内部孔９８に挿入され、固定用つま先７０の前面９７と制御固定部６０の裏面９９とが互いに接触する。
【００２７】
次に、図７のｂ図に示すように、人が、操作具８２の摘み９４を矢印Ｘ２で示す方向に押すことによって、前述した突起８９と係合溝９５との嵌まり合いが解除され、棒本体９１が中心孔８３の内部を奥に進入する。これに伴い、棒本体９１の外周面が、突起８９を中心孔８３の径方向外側に押して、掛止部８６を押し広げる。この押し広げられた掛止部８６が、制御固定部６０における内部孔９８の孔壁面に径方向外側に突っ張るように接触して掛け止められる。これによって、固定具７１が制御固定部６０に押し込まれた形態となり、固定用つま先７０が制御固定部６０に固定具７１で取り付けられる。
【００２８】
このように固定用つま先７０が制御固定部６０に固定具７１で取り付けられた状態において、人が操作具８２の摘み９４を矢印Ｘ３で示す方向に引くことによって、棒本体９１が中心孔８３の奥から手前に後退する。これに伴い、上記棒本体９１の外周面による突起８９に対する中心孔８３の径方向外側への押し力が弱くなり、掛止部８６が自身の弾性によって径方向内側に復帰し、突起８９が係合溝９５に嵌まり込み、掛止部８６が制御固定部６０から離れ、図７のａ図の状態になる。これによって、固定具７１と制御固定部６０との掛け止めが解除された形態となる。その後、人が固定具７１または固定用つま先７０を支持して制御固定部６０から離れる方向に移動すると、固定具７１の装着されたままの固定用つま先７０が制御固定部６０から取り外される。
【産業上の利用可能性】
【００２９】
最良の形態よりも構造は複雑になるが、演出制御装置５１を球導出部品４６に取り付けるための取付台が前側容器６５と別に設けられ、この取付台に前側容器６５を取り付けてもよい。この場合、演出制御装置５１が振動した部品カバー４８を取付台を介して受け止める。取付台は、前側容器６５を取り付けるための後壁に固定用脚部６９および挿入用脚部７２を設け、固定用脚部６９に固定用つま先７０を設け、固定用つま先７０に固定具７１を設け、挿入用脚部７２に挿入用つま先７３を設けた構造になる。カバーは、部品カバー４８に限定されるものでなく、通路カバー４９でもよい。この場合、通路カバー４９は、部品カバー４８に類似し、差込部５９および被差込部６２による相互の嵌め合いによって球導出部品４６に嵌め込まれて取り付けられればよい。制御装置としては、演出制御装置５１に限定されるものではなく、主制御装置５０または遊技基盤３２に搭載される主制御装置５０以外の制御装置であってもよい。取付台４７は、主制御装置５０を遊技基盤３２に取り付ける機能の他に、球導出部品４６から排出された球を下方に誘導して排出する集合樋とも呼ばれる機能を併有してもよい。
【図面の簡単な説明】
【００３０】
【図１】図５のＢ−Ｂ線断面図（最良の形態）。
【図２】遊技盤の分解斜視図（最良の形態）。
【図３】遊技基盤と部品カバーおよび取付台の分解斜視図（最良の形態）。
【図４】遊技基盤および取付台の分解斜視図（最良の形態）。
【図５】遊技盤の裏側の斜視図（最良の形態）。
【図６】ａ図は固定具の分解斜視図、ｂ図は固定具の左足への組立断面図（最良の形態）。
【図７】ａ図は固定具の制御固定部への挿入断面図、ｂ図は固定具の制御固定部への組立断面図（最良の形態）。
【図８】パチンコ遊技機の遊技機枠および遊技盤の分解斜視図（従来）。
【符号の説明】
【００３１】
３１  遊技盤
３２  遊技基盤
４１  入賞部品
４６  球導出部品
４８  部品カバー
５１  演出制御装置
５６  駆動機構
５９  差込部
６０  制御固定部
６１  制御嵌合部
６２  被差込部
６５  前側容器
６６  後側容器
６７  回路基板
６９  固定用脚部
７１  固定具
７２  挿入用脚部
【図１】
2007267807.tif 000003
【図２】
2007267807.tif 000004
【図３】
2007267807.tif 000005
【図４】
2007267807.tif 000006
【図５】
2007267807.tif 000007
【図６】
2007267807.tif 000008
【図７】
2007267807.tif 000009
【図８】
2007267807.tif 000010